(57)【要約】  【課題】ドアが常閉型か常開型かによって、その内部に設定されるドアクローザを調節用開口Ｄ−２が前壁部材か後壁部材かに形成される。従来の縦軸型ドアクローザでは、そのいずれかに合った位置にリング回動用開口が設けられている２種類のものを用意しておく必要があった。【解決手段】床Ｆに対し、ドアの回転中心軸線Ｃの周りで回転しないように設定される支軸１２と、該支軸の周りに設定され、ドアＤに固定される筒体１４と、支軸１２上に該支軸の軸線の周りで回転可能に設定されるバネ力調節用リング１６と、支軸の周りに設定され、一端を同支軸１２に、他端を上記バネ力調節用リング１６に接続されたコイルバネ１８と、を有し、筒体１４が、当該筒体１４の軸線方向でバネ力調節用リング１６が設定された位置に対応する位置において、直径方向で相互に反対側の位置に設けられた第１及び第２のリング回動用開口１４−２，１４−３を有する。【選択図】図２
2005133380.tif 000002
【特許請求の範囲】
【請求項１】
前壁部材、後壁部材等から構成されるドアの内部に、該ドアの回転中心軸線に沿って配置され、当該ドアが設定される床に取り付けられて、ドアが開放されたときに、該ドアを閉じる閉止力を与える縦軸型ドアクローザであって、
床に対し、上記中心軸線の周りで回転しないように設定される支軸と、
該支軸の周りに設定され、ドアに固定される筒体と、
上記支軸の軸線の周りで回転可能に設定されるバネ力調節用リングと、
上記支軸の周りに設定され、一端を同支軸に、他端を上記バネ力調節用リングに接続されたコイルバネと、
を有し、
上記筒体が、当該筒体の軸線方向で上記バネ力調節用リングが設定された位置に対応する位置において、同筒体の直径方向で相互に反対側の位置に、上記軸線を中心に所定角度範囲にわたり開口した第１及び第２のリング回動用開口を有し、
上記バネ力調節用リングを上記支軸の軸線の周りで回動するための工具を、第１及び第２のリング回動用開口のいずれを通してでも、挿入することが出来るようにしたことを特徴とする縦軸型ドアクローザ。
【請求項２】
上記バネ力調節用リングが、その周方向で間隔をあけた複数のリング回動用穴を有し、
該リング回動用穴に、上記工具を嵌合し、当該バネ力調節用リングを回動することができるようにした
ことを特徴とする請求項１に記載の縦軸型ドアクローザ。
【発明の詳細な説明】
【技術分野】
【０００１】
本発明は、前壁部材、後壁部材等から構成されるドアの内部に、該ドアの回転中心軸線に沿って配置され、当該ドアが設定される床に取り付けられて、ドアが開放されたときに、該ドアを閉じる閉止力を与える縦軸型ドアクローザに関する。
【背景技術】
【０００２】
縦軸型ドアクローザは、床に対し、上記中心軸線の周りで回転しないように設定される支軸と、該支軸の周りに設定され、ドアに固定される筒体と、上記支軸上に該支軸の軸線の周りで回転可能に設定されるバネ力調節用リングと、支軸の周りに設定され、一端を同支軸に、他端をバネ力調節用リングに接続されたコイルバネと、を有し、筒体に、バネ力調節用リングが設定された位置に対応する位置に設けられたリング回動用開口が設けられ、該リング回動用開口を通して工具によりバネ力調節用リングを回動することにより、コイルバネの巻き締め、巻き戻しをし、ドアを閉じるときの閉止力を調節するようになっている。（例えば、特許文献１及び２）
【０００３】
【特許文献１】実公平７−５２９２２号
【特許文献２】特開２００１−１３２３１４号
【発明の開示】
【発明が解決しようとする課題】
【０００４】
縦軸型ドアクローザは、上記のように、ドアの内部の、当該ドアの回転中心軸線に沿って設けられるものであり、ドアに固定される筒体は、該筒体の下端部分から水平方向に延びるアームを有し、該アームを当該ドアの底壁部材に固定するようになっている。従って、当該ドアに対する該筒体の軸心の周りでの向きは、ドアに固定されるアームによって決定され、従って、バネ力調節用リングを調節するために該筒体に設けられるリング回動用開口の、ドアに対する向きも決定される。
【０００５】
一方、ドアの前若しくは後壁部材には、ドアクローザのバネ力調節用リングを調節するための上記リング回動用開口に対応する調節用開口が設けられ、該ドアの調節用開口及びドアクローザのリング回動用開口を通して工具を入れ、バネ力調節用リングを回動調節できるようにされている。
【０００６】
このドアに設けられる調節用開口は、美観等の観点からなるべく目に付かないところに設けることが望まれ、従って、例えば同じドア開口の右側若しくは左側に取り付けられるドアであっても、常開型ドアの場合には、ドアが開かれている状態で、当該ドアの前及び後壁部材のうちの、人の目から見て裏側になる壁部材に設けられ、常閉型ドアの場合には、ドアが閉じられている状態で、人の目から見て裏側になる（常開型の場合とは反対側の）壁部材に設けられる。
【０００７】
このため、ドアに取り付けるドアクローザを選定するに当たっては、当該ドアが常開型か、又は常閉型かによって、それぞれのドアに設けられている調節用開口に合ったリング回動用開口が設けられているものを選定しなければならない。
【０００８】
ところが、そのような選定が誤ってなされ、施工現場において、当該ドアクローザのリング回動用開口がドアの調節用開口と対応しない位置にあることが分かり、取り付け作業ができないということが生じる虞がある。
本発明は、従来の縦軸型ドアクローザのこのような問題を解消しようとするものである。
【課題を解決するための手段】
【０００９】
すなわち、本発明は、
ドアの内部に、該ドアの回転中心軸線に沿って配置され、当該ドアが設定される床に取り付けられて、ドアが開放されたときに、該ドアを閉じる閉止力を与える縦軸型ドアクローザであって、
床に対し、上記中心軸線の周りで回転しないように設定される支軸と、
該支軸の周りに設定され、ドアに固定される筒体と、
上記支軸の軸線の周りで回転可能に設定されるバネ力調節用リングと、
上記支軸の周りに設定され、一端を同支軸に、他端を上記バネ力調節用リングに接続されたコイルバネと、
を有し、
上記筒体が、当該筒体の軸線方向で上記バネ力調節用リングが設定された位置に対応する位置において、同筒体の直径方向で相互に反対側の位置に、上記軸線を中心に所定角度範囲にわたり開口した第１及び第２のリング回動用開口を有し、
上記バネ力調節用リングを上記支軸の軸線の周りで回動するための工具を、第１及び第２のいずれを通してでも、挿入することが出来るようにしたことを特徴とする縦軸型ドアクローザを提供する。
このドアクローザによれば、それが設定されるドアが常開型か、常閉型かに関係なく取り付けることができる。従ってまた、常開型用及び常閉型用の2種類のドアクローザを用意する必要が無く、1種類のものを用意すればよいので、在庫管理も容易になる。
バネ力調節用リングは、具体的には、その周方向で間隔をあけた複数のリング回動用穴を有し、該リング回動用穴に、工具を嵌合し、当該バネ力調節用リングを回動するようにすることができる。
【発明を実施するための最良の形態】
【００１０】
以下、本発明に係る縦軸型ドアクローザの実施形態につき説明する。
図１は、本発明に係るドアクローザ１０の正面から見た図であり、左半部が断面で示してあり、図２は同ドアクローザの右側面図、図３は図１のドアクローザの平面図である。
【００１１】
図示のように、ドアクローザ１０は、前壁部材Ｅ，後壁部材Ｒ，底壁部材Ｂ等から構成されるドアDの内部に、該ドアの回転中心軸線Cに沿って配置され、当該ドアが設定される床Fに取り付けられて、ドアDが開放されたときに、該ドアを閉じる閉止力を与える縦軸型ドアクローザであって、床Fに対し、上記回転中心軸線Cの周りで回転しないように設定される支軸１２と、該支軸１２の周りに設定され、ドアに固定される筒体１４と、支軸１２の上端に、同支軸１２の軸線の周りで回転可能に設定されているバネ力調節用リング１６と、支軸１２の周りに設定され、下端を同支軸に、上端をバネ力調節用リング１６に接続されたコイルバネ１８と、筒体１４内部で支軸１２の上端よりも上方に設けられ、コイルバネ１８によるドア閉止力に制動力をかけるためのダンパー手段２０とを有している。
【００１２】
支軸１２は、床Fに上記回転軸線Cの周りでの回転ができないように設定されるベース部材１２−１と、該ベース部材１２−１から上方に伸びる軸部材１２−２とからなる。該軸部材１２−２は断面円形とされ、ベース部材１２−１に形成されている断面円形の垂直穴１２−３に挿入され、該軸部材１２−２とベース部材１２−１との間にピン１２−４を挿入することにより、当該ベース部材１２−１に対して固定されている。
【００１３】
筒体１４は、支軸１２のベース部材１２−１の周りに設定されたニードルベアリング２４によって、回転しない支軸１２の周りで回動可能とされており、その下端には、水平方向に延びるドア支持アーム１４−１が固定されている。該ドア支持アーム１４−１は、ドアの底壁部分Ｄ−１に固定されて、ドアを支持する。
【００１４】
バネ力調節用リング１６は、その外周面から半径方向内側に向う調節用穴１６−１が、当該リングの周方向で所定間隔あけて複数設けられている。
【００１５】
ダンパー手段２０は、半径方向に広げられた支軸１２の上端部分１２−５の上方位置に形成されたダンパー室２０−１と、該ダンパー室内に設定されたピストン２０−２とを有し、ドアの開閉に伴ってピストン２０−２がダンパー室内部を上下動するときに、当該ピストン２０−２によって分割されているダンパー室の上下室間で流れるダンパー液に対して流路抵抗を与えることにより、制動力を生じるようになっている。
【００１６】
筒体１４には、上記バネ力調節用リング１６が設定された位置に対応する位置における直径方向で相互に反対側の位置に、所定角度範囲Ａ(図３)にわたって開口している第１及び第２のリング回動用開口１４−２、１４−３(図２)が設けられており、該リング回動用開口１４−２、１４−３を通して外側から棒状の工具Ｔを挿入し、同工具の先端を、バネ力調節用リング１６の調節用穴１６−１に嵌合して、同バネ力調節用リング１６を所要の方向に回転することにより、コイルバネ１８の巻き込み、巻き戻しを行うことが出来るようにしている。
【００１７】
前述の如く、ドアクローザが取り付けられるドアには、そのドアが常開型か常閉型かによって、ドアＤの前壁部材Ｅ若しくは後壁部材Ｒにおける（当該ドアクローザの）バネ力調節用リング１６に対応する位置に、調節用開口Ｄ−２が設けられている。
従来の縦軸型ドアクローザにおいては、当該ドアクローザの筒体の一側に、１つのリング回動用開口だけが設けられているものであるために、該開口が、ドアの調節用開口Ｄ−２に対応する位置にあけられていないものである場合には、当該ドアへの取り付けはできないことになる。
これに対し、本発明に係る縦軸型ドアクローザは、前述の如く、筒体１４の直径方向で相互に反対側となる位置に、２つのリング回動用開口１４−２，１４−３が設けられているので、ドアの調節用開口が前壁部材、後壁部材のいずれに設けられていても、同ドアに取り付けることができることになる。
【図面の簡単な説明】
【００１８】
【図１】本発明に係る縦軸型ドアクローザを正面から見た図であり、左半部を断面で示してある。
【図２】同縦軸型ドアクローザの右側面図である。
【図３】図１のIII-III線断面図である。
【符号の説明】
【００１９】
１０          縦軸型ドアクローザ
１２          支軸
１２−１      ベース部材
１２−２      軸部材
１２−３      垂直穴
１２−４      ピン
１２−５      支軸の上端部分
１４          筒体
１４−１      ドア支持アーム
１４−２      リング回動用開口
１４−３      リング回動用開口
１６          バネ力調節用リング
１６−１      調節用穴
１８          コイルバネ
２０          ダンパー手段
２０−１      ダンパー室
２０−２      ピストン
Ａ            角度範囲
Ｆ            床
Ｄ            ドア
Ｂ            ドアの底壁部材
Ｄ−２        ドアの調節用開口
Ｅ            ドアの前壁部材
Ｒ            ドアの後壁部材
【図１】
2005133380.tif 000003
【図２】
2005133380.tif 000004
【図３】
2005133380.tif 000005